(57)【要約】      （修正有）【課題】被記録媒体を搬送方向とは逆方向に搬送して粘着性ベルトの支持面から前記被記録媒体を剥す際の剥離負荷を軽減する。【解決手段】被記録媒体Ｐを、搬送方向Ａ１及び該搬送方向Ａ１とは逆方向に搬送可能な粘着性ベルト５と、被記録媒体Ｐを搬送方向Ａ１に搬送する際、被記録媒体Ｐを支持すると共に、搬送方向Ａ１において粘着性ベルト５の上流に位置するガイドバー３と、を備え、ガイドバー３は、粘着性ベルト５が被記録媒体Ｐを搬送方向Ａ１に搬送する際と逆方向に搬送する際とで、粘着性ベルト５に対する位置を変更可能である。【選択図】図１
2015080886.tif 000002
【特許請求の範囲】
【請求項１】
被記録媒体を、搬送方向及び該搬送方向とは逆方向に搬送可能な粘着性ベルトと、
前記被記録媒体を支持すると共に、前記搬送方向において前記粘着性ベルトの上流に位置するガイドバーと、を備え、
前記ガイドバーは、前記粘着性ベルトが前記被記録媒体を前記搬送方向に搬送する際と前記逆方向に搬送する際とで、前記粘着性ベルトに対する位置を変更可能であることを特徴とする記録装置。
【請求項２】
被記録媒体を、搬送方向及び該搬送方向とは逆方向に搬送可能な粘着性ベルトと、
前記被記録媒体を前記搬送方向に搬送する際に前記被記録媒体を支持すると共に、前記搬送方向において前記粘着性ベルトの上流に位置する、ガイドバーと、
前記被記録媒体を前記逆方向に搬送する際に前記被記録媒体を支持すると共に、前記搬送方向において前記粘着性ベルトの上流に位置するアシストバーと、を備え、
前記アシストバーは、前記粘着性ベルトが前記被記録媒体を前記搬送方向に搬送する際と前記逆方向に搬送する際とで、前記粘着性ベルトに対する位置を変更可能であることを特徴とする記録装置。
【請求項３】
請求項１に記載の記録装置において、
前記被記録媒体を前記逆方向に搬送する際に前記被記録媒体を支持すると共に、前記搬送方向において前記粘着性ベルトの上流に位置するアシストバーを備え、
前記粘着性ベルトが前記被記録媒体を前記逆方向に搬送する際に前記粘着性ベルトが前記被記録媒体を前記搬送方向に搬送する際の位置から前記ガイドバーの位置が変更することに伴って、前記アシストバーが前記被記録媒体を支持することを特徴とする記録装置。
【請求項４】
請求項２又は３に記載の記録装置において、
前記ガイドバー及び前記アシストバーを接続する接続部を備え、
前記接続部は、
揺動支点を有し、
前記粘着性ベルトが前記被記録媒体を前記搬送方向に搬送する際と前記逆方向に搬送する際とで、前記揺動支点を基準に位置を変更することにより、前記ガイドバー及び前記アシストバーの位置を変更することを特徴とする記録装置。
【請求項５】
請求項１から４のいずれか１項に記載の記録装置において、
前記被記録媒体に記録する記録部と、
前記記録部により記録された前記被記録媒体を回収する回収部と、
前記記録部と前記回収部との間に設けられ、前記被記録媒体を前記逆方向に搬送する際に前記被記録媒体を前記支持面に加圧して貼り付け可能な加圧部と、を備えることを特徴とする記録装置。
【発明の詳細な説明】
【技術分野】
【０００１】
本発明は、記録装置に関する。
【背景技術】
【０００２】
従来から、被記録媒体を粘着性ベルトの支持面に支持させて搬送する記録装置が使用されている。例えば、特許文献１には、被記録媒体を粘着固定して搬送する無端ベルトを備える記録装置が開示されている。
【先行技術文献】
【特許文献】
【０００３】
【特許文献１】特開平１１−１９２６９４号公報
【発明の概要】
【発明が解決しようとする課題】
【０００４】
従来の粘着性ベルトを備える記録装置において例えば長尺の被記録媒体を使用した場合、支持面に対する貼り付き不良部分が発生するとこの部分を支持面に貼り直すために被記録媒体を搬送方向とは逆方向に搬送させる場合がある。この場合、この貼り付き不良部分を一度支持面から剥し、支持面に貼り直す必要がある。  
しかしながら、特許文献１に開示されるような従来の粘着性ベルトを備える記録装置においては、被記録媒体を搬送方向とは逆方向に搬送して粘着性ベルトの支持面から前記被記録媒体を剥すということに関しては一切の記載がない。また、単純に粘着性ベルト等の搬送機構を逆転させるだけでは、粘着性ベルトの支持面から被記録媒体を剥がす際の剥離負荷が大きくなり、粘着性ベルトや被記録媒体を破損するおそれがある為、この剥離負荷を軽減することが望まれていた。
【０００５】
そこで、本発明の目的は、被記録媒体を搬送方向とは逆方向に搬送して粘着性ベルトの支持面から前記被記録媒体を剥す際の剥離負荷を軽減することである。
【課題を解決するための手段】
【０００６】
上記課題を解決するための本発明の第１の記録装置は、被記録媒体を、搬送方向及び該搬送方向とは逆方向に搬送可能な粘着性ベルトと、前記被記録媒体を支持すると共に、前記搬送方向において前記粘着性ベルトの上流に位置するガイドバーと、を備え、前記ガイドバーは、前記粘着性ベルトが前記被記録媒体を前記搬送方向に搬送する際と前記逆方向に搬送する際とで、前記粘着性ベルトに対する位置を変更可能であることを特徴とする。
【０００７】
ここで、「粘着性ベルト」とは、被記録媒体を支持する支持面に該被記録媒体を剥離可能に接着して保持する粘着剤が塗られたベルトを意味する。  
前記支持面と前記支持面から剥離された前記被記録媒体とのなす角度が９０°の角度をなすように前記被記録媒体を剥離させると剥離負荷は最も小さくなる。本態様によれば、前記被記録媒体を前記搬送方向に搬送する際に前記被記録媒体を支持すると共に、前記搬送方向において前記粘着性ベルトの上流に位置するガイドバーを備える。そして、前記ガイドバーは、前記粘着性ベルトが前記被記録媒体を前記搬送方向に搬送する際と前記逆方向に搬送する際とで、前記粘着性ベルトに対する位置を変更可能である。このため、例えば、前記被記録媒体を前記逆方向に搬送する際に前記支持面と前記支持面から剥離された前記被記録媒体とのなす角度が約９０°の角度をなすように前記ガイドバーの位置を変更させることにより、前記粘着性ベルトの支持面から前記被記録媒体を剥す際の剥離負荷を軽減することができる。なお、前記被記録媒体を前記搬送方向に搬送する際は、前記ガイドバーの位置を、前記被記録媒体を支持しつつ前記支持面にガイドするのに好ましい位置にすることができる。
【０００８】
本発明の第２の態様の記録装置は、被記録媒体を、搬送方向及び該搬送方向とは逆方向に搬送可能な粘着性ベルトと、前記被記録媒体を前記搬送方向に搬送する際に前記被記録媒体を支持すると共に、前記搬送方向において前記粘着性ベルトの上流に位置するガイドバーと、前記被記録媒体を前記逆方向に搬送する際に前記被記録媒体を支持すると共に、前記搬送方向において前記粘着性ベルトの上流に位置するアシストバーと、を備え、前記アシストバーは、前記粘着性ベルトが前記被記録媒体を前記搬送方向に搬送する際と前記逆方向に搬送する際とで、前記粘着性ベルトに対する位置を変更可能であることを特徴とする。
【０００９】
本態様によれば、前記被記録媒体を前記逆方向に搬送する際に前記被記録媒体を支持すると共に、前記搬送方向において前記粘着性ベルトの上流に位置するアシストバーを備える。そして、前記アシストバーは、前記粘着性ベルトが前記被記録媒体を前記搬送方向に搬送する際と前記逆方向に搬送する際とで、前記粘着性ベルトに対する位置を変更可能である。このため、例えば、前記被記録媒体を前記逆方向に搬送する際に前記支持面と前記支持面から剥離された前記被記録媒体とのなす角度が約９０°の角度をなすように前記アシストバーの位置を変更させることにより、前記粘着性ベルトの支持面から前記被記録媒体を剥す際の剥離負荷を軽減することができる。
【００１０】
本発明の第３の態様の記録装置は、前記第１の態様において、前記被記録媒体を前記逆方向に搬送する際に前記被記録媒体を支持すると共に、前記搬送方向において前記粘着性ベルトの上流に位置するアシストバーを備え、前記粘着性ベルトが前記被記録媒体を前記逆方向に搬送する際に前記粘着性ベルトが前記被記録媒体を前記搬送方向に搬送する際の位置から前記ガイドバーの位置が変更することに伴って、前記アシストバーが前記被記録媒体を支持することを特徴とする。
【００１１】
本態様によれば、前記粘着性ベルトが前記被記録媒体を前記逆方向に搬送する際に前記粘着性ベルトが前記被記録媒体を前記搬送方向に搬送する際の位置から前記ガイドバーの位置が変更することに伴って、前記アシストバーが前記被記録媒体を支持する。このため、例えば、前記被記録媒体を前記逆方向に搬送する際に前記支持面と前記支持面から剥離された前記被記録媒体とのなす角度が約９０°の角度をなすように前記アシストバーの位置を設定しておくことにより、前記ガイドバーの位置を変更するという簡単な構成で、前記粘着性ベルトの支持面から前記被記録媒体を剥す際の剥離負荷を軽減することができる。
【００１２】
本発明の第４の態様の記録装置は、前記第２又は第３の態様において、前記ガイドバー及び前記アシストバーを接続する接続部を備え、前記接続部は、揺動支点を有し、前記粘着性ベルトが前記被記録媒体を前記搬送方向に搬送する際と前記逆方向に搬送する際とで、前記揺動支点を基準に位置を変更することにより、前記ガイドバー及び前記アシストバーの位置を変更することを特徴とする。
【００１３】
本態様によれば、前記接続部は、揺動支点を有し、前記粘着性ベルトが前記被記録媒体を前記搬送方向に搬送する際と前記逆方向に搬送する際とで、前記揺動支点を基準に位置を変更することにより、前記ガイドバー及び前記アシストバーの位置を変更する。このため、前記接続部が前記揺動支点を基準に位置を変更することにより前記ガイドバー及び前記アシストバーの位置を変更するという簡単な構成で、例えば、前記支持面と前記支持面から剥離された前記被記録媒体とのなす角度が約９０°の角度をなすように前記ガイドバー及び前記アシストバーの位置を変更させることにより、前記粘着性ベルトの支持面から前記被記録媒体を剥す際の剥離負荷を軽減することができる。
【００１４】
本発明の第５の態様の記録装置は、前記第１から第４のいずれか１つの態様において、前記被記録媒体に記録する記録部と、前記記録部により記録された前記被記録媒体を回収する回収部と、前記記録部と前記回収部との間に設けられ、前記被記録媒体を前記逆方向に搬送する際に前記被記録媒体を前記支持面に加圧して貼り付け可能な加圧部と、を備えることを特徴とする。
【００１５】
前記被記録媒体において前記支持面に対する貼り付き不良部分が発生すると、この部分を前記支持面に貼り直すために、前記被記録媒体を前記逆方向に搬送させる場合がある。本態様によれば、前記記録部と前記回収部との間、即ち、前記搬送方向において前記記録部の下流側に設けられ、前記被記録媒体を前記逆方向に搬送する際に前記被記録媒体を前記支持面に加圧して貼り付け可能な加圧部を備える。この前記加圧部を備えることにより、前記被記録媒体を前記逆方向に搬送する際において、前記下流側において前記粘着性ベルトの支持面から一度剥された部分を再度該粘着性ベルトの支持面に貼り付ける際の前記被記録媒体の前記粘着性ベルトの支持面に対する貼り付き不良部分の発生を抑制できる。
【図面の簡単な説明】
【００１６】
【図１】本発明の実施例１に係る記録装置を表す概略側面図。
【図２】本発明の実施例１に係る記録装置を表す概略側面図。
【図３】本発明の実施例２に係る記録装置を表す概略側面図。
【図４】本発明の実施例２に係る記録装置を表す概略側面図。
【図５】本発明の実施例３に係る記録装置を表す概略側面図。
【図６】本発明の実施例３に係る記録装置を表す概略側面図。
【図７】本発明の実施例４に係る記録装置を表す概略側面図。
【図８】本発明の実施例４に係る記録装置を表す概略側面図。
【発明を実施するための形態】
【００１７】
以下に、本発明の実施例に係る記録装置について、添付図面を参照して詳細に説明する。  
［実施例１］（図１〜図２）  
図１及び図２は、本発明の実施例１に係る記録装置１を表す概略側面図である。  
ここで、図１は、記録時の搬送方向である搬送方向Ａ１に被記録媒体Ｐを搬送する際の状態を表している。また、図２は、搬送方向Ａ１とは逆方向である逆方向Ａ２に被記録媒体Ｐを搬送する際の状態を表している。  
なお、本実施例の記録装置１は、記録面が内側に巻かれたロール状の被記録媒体Ｐを使用しているが、このような被記録媒体に限定されない。記録面が外側に巻かれたロール状の被記録媒体Ｐを使用してもよいし、ロール状ではない被記録媒体を使用してもよい。
【００１８】
本実施例の記録装置１は、回転方向Ｒ１及びＲ２に回転する駆動ローラー６と従動ローラー７に張架され、被記録媒体Ｐを支持面Ｓで支持して搬送方向Ａに搬送する粘着性ベルト５を備えている。なお、図１で表されるように被記録媒体Ｐを搬送方向Ａ１に搬送する際は回転方向Ｒ２に駆動ローラー６を回転させ、図２で表されるように被記録媒体Ｐを逆方向Ａ２に搬送する際は回転方向Ｒ１に駆動ローラー６を回転させる。  
ここで、「粘着性ベルト」とは、被記録媒体Ｐを支持する支持面Ｓに該被記録媒体Ｐを剥離可能に接着して保持する粘着剤が塗られたベルトを意味する。
【００１９】
また、本実施例の記録装置１は、ロール状の被記録媒体Ｐをセットするセット部２を備えている。セット部２はロール状の被記録媒体Ｐを回転方向Ｒ１及びＲ２に回転させることが可能であるが、図１で表されるように、本実施例の被記録媒体Ｐを搬送方向Ａ１に搬送する際は、回転方向Ｒ１にロール状の被記録媒体Ｐを回転させる。一方、図２で表されるように、被記録媒体Ｐを逆方向Ａ２に搬送する際は、回転方向Ｒ２にロール状の被記録媒体Ｐを回転させる。
【００２０】
セット部２と粘着性ベルト５との間、即ち、搬送方向Ａ１においてセット部２の下流側には、被記録媒体Ｐを搬送方向Ａ１に搬送する際に被記録媒体Ｐを支持すると共に、搬送方向Ａ１において粘着性ベルト５の上流側にはガイドバー３が設けられている。ガイドバー３は搬送方向Ａ１と交差する方向Ｂに延設されている。また、ガイドバー３は、方向Ｄに移動可能であり、粘着性ベルト５が被記録媒体Ｐを搬送方向Ａ１に搬送する際と逆方向Ａ２に搬送する際とで、粘着性ベルト５に対する位置を変更可能である。
【００２１】
支持面Ｓと支持面Ｓから剥離された被記録媒体Ｐとのなす角度が９０°の角度をなすように被記録媒体Ｐを剥離させると剥離負荷は最も小さくなる。上記のように、本実施例のガイドバー３は、粘着性ベルト５が被記録媒体Ｐを搬送方向Ａ１に搬送する際と逆方向Ａ２に搬送する際とで、粘着性ベルト５に対する位置を変更可能である。詳細には、被記録媒体Ｐを逆方向Ａ２に搬送する際、支持面Ｓと支持面Ｓから剥離された被記録媒体Ｐとのなす角度が約９０°の角度をなすようにガイドバー３の位置を変更させている。こうして、粘着性ベルト３の支持面Ｓから被記録媒体Ｐを剥す際の剥離負荷を軽減している。
【００２２】
また、本実施例の記録装置１は、粘着性ベルト５を挟んで従動ローラー７と対向する位置に、被記録媒体Ｐを支持面Ｓに加圧して貼り付け可能な加圧部としての圧着ローラー４を備えている。圧着ローラー４は、方向Ｂに延設されており、方向Ｃに移動可能である。本実施例の記録装置１は、図１で表されるように、被記録媒体Ｐを搬送方向Ａ１に搬送する際には、圧着ローラー４を下方に移動させて被記録媒体Ｐを支持面Ｓに加圧して貼り付ける。その際に加圧して張り付けられる被記録媒体Ｐにしわが発生しないように、ガイドバー３の位置を決めており、圧着ローラー４に対する被記録媒体Ｐの進入角度、すなわち、圧着ローラー下部の粘着性ベルト５と圧着ローラー４にむかう被記録媒体Ｐとの交差角度は１０°〜５０°となるようにガイドバー３の位置を決めている。  
そして、圧着ローラー４は図２で表されるように、被記録媒体Ｐを逆方向Ａ２に搬送する際には、被記録媒体Ｐを支持面Ｓから剥しやすいように上方に移動させても良い。
【００２３】
また、粘着性ベルト５による被記録媒体Ｐの搬送経路には、記録部としての記録ヘッド８が備えられている。記録装置１は、キャリッジ９を介して搬送方向Ａと交差する方向Ｂ（粘着性ベルト５の幅方向Ｂ）に記録ヘッド８を往復移動させながら、記録ヘッド８のインク吐出面Ｆから被記録媒体Ｐにインクを吐出させて所望の画像を形成する。  
なお、本実施例の記録装置１は、往復移動しながら記録する記録ヘッド８を備えているが、インクを吐出するノズルを搬送方向Ａと交差する交差方向に複数設けた所謂ラインヘッドを備える記録装置でもよい。  
ここで、「ラインヘッド」とは、被記録媒体Ｐの搬送方向Ａと交差する方向Ｂに形成されたノズルの領域が、被記録媒体Ｐの方向Ｂ全体をカバー可能なように設けられ、記録ヘッド又は被記録媒体Ｐの一方を固定し他方を移動させて画像を形成する記録装置に用いられる記録ヘッドである。なお、ラインヘッドの方向Ｂのノズルの領域は、記録装置が対応している全ての被記録媒体Ｐの方向Ｂ全体をカバー可能でなくてもよい。
【００２４】
また、本実施例の記録装置１は、粘着性ベルト５を挟んで従動ローラー７と対向する位置に、圧着ローラー１０を備えている。圧着ローラー１０は、方向Ｂに延設されており、方向Ｃに移動可能である。本実施例の記録装置１は、図１で表されるように、被記録媒体Ｐを搬送方向Ａ１に搬送する際には、圧着ローラー１０を上方に移動させる。そして、図２で表されるように、被記録媒体Ｐを逆方向Ａ２に搬送する際には、圧着ローラー１０を下方に移動させて被記録媒体Ｐを支持面Ｓに加圧して貼り付ける。すなわち、本実施例の記録装置１は、搬送方向Ａ１において記録ヘッド８の下流側に、被記録媒体Ｂを逆方向Ａ２に搬送する際に被記録媒体Ｐを支持面Ｓに加圧して貼り付け可能な加圧部としての圧着ローラー１０を備えている。
【００２５】
本実施例の記録装置１は、被記録媒体Ｐにおいて支持面Ｓに対する貼り付き不良部分が発生すると、この部分を支持面Ｓに貼り直すために、被記録媒体Ｐを逆方向Ａ２に搬送させる。そして、上記のように、本実施例の記録装置１は、搬送方向Ａ１において記録ヘッド８の下流側、即ち、記録ヘッド８と後述の巻取部１２との間に、被記録媒体Ｐを逆方向Ａ２に搬送する際に被記録媒体Ｐを支持面Ｓに加圧して貼り付け可能な圧着ローラー１０を備えている。この圧着ローラー１０を備えることにより、被記録媒体Ｐを逆方向Ａ２に搬送する際において、前記下流側において粘着性ベルト５の支持面Ｓから一度剥された被記録媒体Ｐが記録ヘッド８等に接触することを抑制している。
【００２６】
本実施例の記録装置１では、被記録媒体Ｐは、所定の範囲内で粘着性ベルト５から剥離されるように所定の位置に固定されるとともに方向Ｂに延設されたガイドバー１１を介して、記録ヘッド８によって記録された被記録媒体Ｐの回収部としての巻取部１２によりロール状に巻き取られる。なお、図１で表されるように、巻取部１２は、被記録媒体Ｐを巻き取る際、即ち、被記録媒体Ｐを搬送方向Ａ１に搬送する際、回転方向Ｒ１に被記録媒体Ｐを回転させる。一方、図２で表されるように、巻取部１２は、被記録媒体Ｐを逆方向Ａ２に搬送する際、回転方向Ｒ２に被記録媒体Ｐを回転させる。
【００２７】
なお、本実施例のガイドバー３は、被記録媒体Ｐの搬送方向に応じて自動で方向Ｄに移動する構成であるが、被記録媒体Ｐの搬送方向に応じて手動でガイドバー３を移動する構成であってもよい。
【００２８】
［実施例２］（図３〜図４）  
次に、実施例２の記録装置について、添付図面を参照して詳細に説明する。  
図３及び図４は、本実施例の記録装置１を表す概略側面図である。ここで、図３は、記録時の搬送方向である搬送方向Ａ１に被記録媒体Ｐを搬送する際の状態を表している。また、図４は、搬送方向Ａ１とは逆方向である逆方向Ａ２に被記録媒体Ｐを搬送する際の状態を表している。なお、上記実施例と共通する構成部材は同じ符号で示しており、詳細な説明は省略する。  
なお、本実施例の記録装置１は、方向Ｂに延設され方向Ｅに移動可能なアシストバー１３を備えるとともにガイドバー３が固定されていること以外は実施例１の記録装置１と同様の構成である。
【００２９】
ここで、本実施例のアシストバー１３は、図３で表されるように、被記録媒体Ｐを搬送方向Ａ１に搬送する際に被記録媒体Ｐから離れた位置にある。そして被記録媒体Ｐを逆方向Ａ２に搬送する際には図４に示したように、アシストバー１３が方向Ｅに移動することにより、被記録媒体Ｐを支持する。  
このように、被記録媒体Ｐの搬送方向に応じてアシストバー１３の位置を変更することによって、被記録媒体Ｐを逆方向Ａ２に搬送する際、支持面Ｓと支持面Ｓから剥離された被記録媒体Ｐとのなす角度が約９０°の角度をなすようにしている。
【００３０】
上記のように、本実施例の記録装置１は、被記録媒体Ｐを、搬送方向Ａ１及び該搬送方向Ａ１とは逆方向Ａ２に搬送可能な粘着性ベルト５を備えている。また、被記録媒体Ｐを搬送方向Ａ１に搬送する際に被記録媒体Ｐを支持するガイドバー３を備えている。また、被記録媒体Ｐを逆方向Ａ２に搬送する際に被記録媒体Ｐを支持するアシストバー１３を備えている。そして、アシストバー１３は、粘着性ベルト５が被記録媒体Ｐを搬送方向Ａ１に搬送する際と逆方向Ａ２に搬送する際とで、粘着性ベルト５に対する位置を変更可能である。  
このような構成により、被記録媒体Ｐを逆方向Ａ２に搬送する際に支持面Ｓと支持面Ｓから剥離された被記録媒体Ｐとのなす角度が約９０°の角度をなすようにアシストバー１３の位置を変更させ、粘着性ベルト５の支持面Ｓから被記録媒体Ｐを剥す際の剥離負荷を軽減している。
【００３１】
なお、本実施例のアシストバー１３は、被記録媒体Ｐの搬送方向に応じて自動で方向Ｅに移動する構成であるが、被記録媒体Ｐの搬送方向に応じて手動でアシストバー１３を移動する構成であってもよい。
【００３２】
［実施例３］（図５〜図６）  
次に、実施例３の記録装置について、添付図面を参照して詳細に説明する。  
図５及び図６は、本実施例の記録装置１を表す概略側面図である。ここで、図５は、記録時の搬送方向である搬送方向Ａ１に被記録媒体Ｐを搬送する際の状態を表している。また、図６は、搬送方向Ａ１とは逆方向である逆方向Ａ２に被記録媒体Ｐを搬送する際の状態を表している。なお、上記実施例と共通する構成部材は同じ符号で示しており、詳細な説明は省略する。  
なお、本実施例の記録装置１は、方向Ｂに延設され固定されたアシストバー１３を備えるとともにガイドバー３が方向Ｇに移動可能であること以外は実施例１の記録装置１と同様の構成である。
【００３３】
ここで、本実施例のアシストバー１３は、図６で表されるように、被記録媒体Ｐを逆方向Ａ２に搬送する際に被記録媒体Ｐを支持するアシストバーである。
【００３４】
図５で表されるように、本実施例の記録装置１は、被記録媒体Ｐを搬送方向Ａ１に搬送する際にアシストバー１３が被記録媒体Ｐと離れるように、ガイドバー３は位置している。また、図６で表されるように、本実施例の記録装置１は、被記録媒体Ｐを逆方向Ａ２に搬送する際にアシストバー１３が被記録媒体Ｐを支持するように、ガイドバー３は位置している。このように、被記録媒体Ｐの搬送方向に応じてガイドバー３の位置を変更することによって、被記録媒体Ｐを逆方向Ａ２に搬送する際、支持面Ｓと支持面Ｓから剥離された被記録媒体Ｐとのなす角度が約９０°の角度をなすようにしている。
【００３５】
上記のように、本実施例の記録装置１は、被記録媒体Ｐを、搬送方向Ａ１及び該搬送方向Ａ１とは逆方向Ａ２に搬送可能な粘着性ベルト５を備えている。また、被記録媒体Ｐを搬送方向Ａ１に搬送する際に被記録媒体Ｐを支持するガイドバー３を備えている。また、被記録媒体Ｐを逆方向Ａ２に搬送する際に被記録媒体Ｐを支持するアシストバー１３を備えている。そして、粘着性ベルト５が被記録媒体Ｐを逆方向Ａ２に搬送する際に粘着性ベルト５が被記録媒体Ｐを搬送方向Ａ１に搬送する際の位置からガイドバー３の位置が変更することに伴って、アシストバー１３が被記録媒体Ｐを支持している。  
このような構成により、被記録媒体Ｐを逆方向Ａ２に搬送する際に支持面Ｓと支持面Ｓから剥離された被記録媒体Ｐとのなす角度が約９０°の角度をなすようにガイドバー３の位置を変更させ、粘着性ベルト５の支持面Ｓから被記録媒体Ｐを剥す際の剥離負荷を軽減している。
【００３６】
なお、本実施例のガイドバー３は、被記録媒体Ｐの搬送方向に応じて自動で方向Ｇに移動する構成であるが、被記録媒体Ｐの搬送方向に応じて手動でガイドバー３を移動する構成であってもよい。
【００３７】
［実施例４］（図７〜図８）  
次に、実施例４の記録装置について、添付図面を参照して詳細に説明する。  
図７及び図８は、本実施例の記録装置１を表す概略側面図である。ここで、図７は、記録時の搬送方向である搬送方向Ａ１に被記録媒体Ｐを搬送する際の状態を表している。また、図８は、搬送方向Ａ１とは逆方向である逆方向Ａ２に被記録媒体Ｐを搬送する際の状態を表している。なお、上記実施例と共通する構成部材は同じ符号で示しており、詳細な説明は省略する。  
なお、本実施例の記録装置１は、方向Ｂに延設されたガイドバー３とアシストバー１３とを接続部１４で接続し、揺動支点１５を基準にして方向Ｈに揺動可能なターレットをガイドバー３、アシストバー１３及び接続部１４で構成していること以外は実施例１の記録装置１と同様の構成である。
【００３８】
図７及び図８で表されるように、接続部１４は、揺動支点１５を有し、粘着性ベルト５が被記録媒体Ｐを搬送方向Ａ１に搬送する際と逆方向Ａ２に搬送する際とで、揺動支点１５を基準に方向Ｈに揺動して、ガイドバー３及びアシストバー１３の位置を変更する。
【００３９】
ここで、本実施例のアシストバー１３は、図８で表されるように、被記録媒体Ｐを逆方向Ａ２に搬送する際に被記録媒体Ｐを支持するアシストバーである。また、アシストバー１３は、図７では被記録媒体Ｐを搬送方向Ａ１に搬送する際にも被記録媒体Ｐを支持しているが、被記録媒体Ｐに接触しない位置にあってもよい。
【００４０】
上記のように、本実施例の記録装置１は、被記録媒体Ｐを、搬送方向Ａ１及び該搬送方向Ａ１とは逆方向Ａ２に搬送可能な粘着性ベルト５を備えている。また、被記録媒体Ｐを搬送方向Ａ１に搬送する際に被記録媒体Ｐを支持するガイドバー３を備えている。また、被記録媒体Ｐを逆方向Ａ２に搬送する際に被記録媒体Ｐを支持するアシストバー１３を備えている。また、ガイドバー３及びアシストバー１３を接続する接続部１４を備えている。そして、接続部１４は、揺動支点１５を有し、粘着性ベルト５が被記録媒体Ｐを搬送方向Ａ１に搬送する際と逆方向Ａ２に搬送する際とで、揺動支点１５を基準に位置を変更することにより、ガイドバー３及びアシストバー１３の位置を変更する。
【００４１】
このため、接続部１４が揺動支点１５を基準に位置を変更することによりガイドバー３及びアシストバー１３の位置を変更するという簡単な構成で、支持面Ｓと支持面Ｓから剥離された被記録媒体Ｐとのなす角度が約９０°の角度をなすようにガイドバー３及びアシストバー１３の位置を変更させている。こうして、粘着性ベルト５の支持面Ｓから被記録媒体Ｐを剥す際の剥離負荷を軽減している。
【符号の説明】
【００４２】
１  記録装置、２  セット部、３  ガイドバー、４  圧着ローラー、
５  粘着性ベルト、６  駆動ローラー、７  従動ローラー、
８  記録ヘッド（記録部）、９  キャリッジ、１０  圧着ローラー（加圧部）、
１１  ガイドバー、１２  巻取部（回収部）、１３  アシストバー、１４  接続部、
１５  揺動支点、Ｆ  インク吐出面、Ｐ  被記録媒体
【図１】
2015080886.tif 000003
【図２】
2015080886.tif 000004
【図３】
2015080886.tif 000005
【図４】
2015080886.tif 000006
【図５】
2015080886.tif 000007
【図６】
2015080886.tif 000008
【図７】
2015080886.tif 000009
【図８】
2015080886.tif 000010